(57)【要約】【課題】床下空間部等の建物本体の換気状態を良好に保つことができるとともに、冬期における室内の温度の低下を防ぐことができる建物の換気構造の提供。【解決手段】建物１の基礎２と基礎２上に構築される建物本体３との間に、前記基礎２の長手方向に沿って配置される台輪本体４ａと、この台輪本体４ａをその幅方向に貫通するようにして形成された複数の換気孔４ｂとを備えた換気孔付き台輪４が介在されてなり、前記台輪本体４ａの外部側に、この台輪本体４ａの前記複数の換気孔４ｂを閉塞可能なシャッター部材５が取り付けられていることを特徴とする建物の換気構造Ａ。【選択図】図１
2006214159.tif 000002
【特許請求の範囲】
【請求項１】
建物の基礎と基礎上に構築される建物本体との間に、前記基礎の長手方向に沿って配置される台輪本体と、この台輪本体をその幅方向に貫通するようにして形成された複数の換気孔とを備えた換気孔付き台輪が介在されてなる建物の換気構造において、
前記台輪本体の外部側に、この台輪本体の前記複数の換気孔を閉塞可能なシャッター部材が取り付けられていることを特徴とする建物の換気構造。
【請求項２】
請求項１に記載の建物の換気構造において、
前記シャッター部材は、前記台輪本体の長手方向に沿って長尺で、かつ、前記複数の換気孔を閉塞するシャッター本体と、このシャッター本体を前記台輪本体に取り付ける取付部とを備えており、
前記シャッター本体に設けられたヒンジ抱持部と、前記取付部に設けられ、かつ、前記ヒンジ抱持部に抱持されるヒンジ支点部とを備えたヒンジ部により、前記シャッター本体と取付部とが回動自在に結合されていることを特徴とする建物の換気構造。
【請求項３】
請求項２に記載の建物の換気構造において、
前記シャッター本体は、前記複数の換気孔を閉塞する面にパッキン材が取り付けられた閉塞板部と、
この閉塞板部の上縁部に設けられた前記ヒンジ抱持部と、
前記閉塞板部の下縁部から延出し、かつ、前記取付部の一部と係止し合う係止突条部を備えるとともに、先端部に取手部が設けられた水平板部とから構成されており、
前記取付部は、前記台輪本体の外部側表面に当接する取付本体部と、
この取付本体部の幅方向両端部に設けられて、前記複数の換気孔に差し込まれて固定される差込脚部と、
前記取付本体部の上端部に設けられた前記ヒンジ支点部と、
前記取付本体部の下端部に設けられて、前記係止突条部と係止し合う係止突部とから構成されていることを特徴とする建物の換気構造。
【請求項４】
請求項３に記載の建物の換気構造において、
前記差込脚部には、これら差込脚部の先端から外側に向けて折り曲げられて形成されることにより弾力性を備えた差込保持部が設けられていることを特徴とする建物の換気構造。
【請求項５】
請求項１〜４のいずれか一項に記載の建物の換気構造において、
前記シャッター部材は、建物の北側に位置するようにして前記換気孔付き台輪に取り付けられていることを特徴とする建物の換気構造。
【発明の詳細な説明】
【技術分野】
【０００１】
本発明は、建物の基礎と基礎上に構築される建物本体との間に、前記基礎の長手方向に沿って配置される台輪本体と、この台輪本体をその幅方向に貫通するようにして形成された複数の換気孔とを備えた換気孔付き台輪が介在されてなる建物の換気構造に関する。
【背景技術】
【０００２】
建物、特に住宅を構築する際には、まず基礎を構築し、この基礎の上端面に台輪を敷き、この台輪上に床部材や壁部材等の構造部材を設置していくといった施工方法がとられている。
また、前記台輪は、その側面に換気用の孔が幅方向に形成されている換気孔付き台輪であり、このような換気孔付き台輪が構築される基礎の全周にわたって設けられて、前記換気用の孔から外気が入り込むことによって床下空間部等の建物本体の防湿効果が促進する技術が知られている（例えば、特許文献１参照）。
【特許文献１】特開２００２−０７０１８７号公報
【発明の開示】
【発明が解決しようとする課題】
【０００３】
ところが、特に寒冷地住宅において、上記特許文献１に記載のような換気孔付き台輪を設けた際に、冬期に、屋外から床下空間部等の建物本体内部に吹き込む冷たい空気によって室内が冷やされてしまう場合がある。
一方、特に木造住宅においては床下空間部における空気の流通を良好とし、低湿気状態に保持して、シロアリによる食害や微生物等による腐敗等の被害から、木材を防護する必要がある。
【０００４】
本発明の課題は、床下空間部等の建物本体の換気状態を良好に保つことができるとともに、冬期における室内の温度の低下を防ぐことができる建物の換気構造を提供することを目的とする。
【課題を解決するための手段】
【０００５】
請求項１に記載の発明は、例えば図１または図２に示すように、建物１の基礎２と基礎２上に構築される建物本体３との間に、前記基礎２の長手方向に沿って配置される台輪本体４ａと、この台輪本体４ａをその幅方向に貫通するようにして形成された複数の換気孔４ｂとを備えた換気孔付き台輪４が介在されてなる建物の換気構造Ａにおいて、
前記台輪本体４ａの外部側に、この台輪本体４ａの前記複数の換気孔４ｂを閉塞可能なシャッター部材５が取り付けられていることを特徴とする。
【０００６】
請求項１に記載の発明によれば、前記台輪本体４ａの外部側に、この台輪本体４ａの前記複数の換気孔４ｂを閉塞可能なシャッター部材５が取り付けられていることから、前記シャッター部材５によって前記複数の換気孔４ｂを閉塞しない時は、これら複数の換気孔４ｂを通じて空気が出入りするので、床下空間部等の建物本体３の換気状態を良好に保つことができる。
また、前記シャッター部材５によって前記複数の換気孔４ｂを閉塞した時には、これら複数の換気孔４ｂを通じた空気の流入を遮蔽することができるので、室内の温度の低下を防ぐことができる。さらに、冬期の寒冷地住宅においても、冷たい空気の流入を遮蔽することができるので、室内の温度の低下を防ぐことができる。
【０００７】
請求項２に記載の発明は、例えば図１または図２に示すように、請求項１に記載の建物の換気構造Ａにおいて、
前記シャッター部材５は、前記台輪本体４ａの長手方向に沿って長尺で、かつ、前記複数の換気孔４ｂを閉塞するシャッター本体６と、このシャッター本体６を前記台輪本体４ａに取り付ける取付部７とを備えており、
前記シャッター本体６に設けられたヒンジ抱持部６ｂと、前記取付部７に設けられ、かつ、前記ヒンジ抱持部６ｂに抱持されるヒンジ支点部７ｃとを備えたヒンジ部８により、前記シャッター本体６と取付部７とが回動自在に結合されていることを特徴とする。
【０００８】
請求項２に記載の発明によれば、前記シャッター部材５は、前記台輪本体４ａの長手方向に沿って長尺で、かつ、前記複数の換気孔４ｂを閉塞するシャッター本体６と、このシャッター本体６を前記台輪本体４ａに取り付ける取付部７とを備えていることから、前記取付部７を台輪本体４ａに取り付けることにより、前記シャッター本体６を前記台輪本体４ａに容易に取り付けることができる。
また、前記シャッター本体６に設けられたヒンジ抱持部６ｂと、前記取付部７に設けられ、かつ、前記ヒンジ抱持部６ｂに抱持されるヒンジ支点部７ｃとを備えたヒンジ部８により、前記シャッター本体６と取付部７とが回動自在に結合されていることから、前記シャッター本体６によって前記複数の換気孔４ｂを開閉することができる。
これにより、前記シャッター本体６によって前記複数の換気孔４ｂを閉塞しない時は、これら複数の換気孔４ｂを通じて空気が出入りするので、床下空間部等の建物本体３の換気状態を良好に保つことができる。しかも、前記シャッター本体６によって前記複数の換気孔４ｂを閉塞した時には、これら複数の換気孔４ｂを通じた空気の流入を遮蔽することができるので、室内の温度の低下を防ぐことができる。さらに、冬期の寒冷地住宅においても、冷たい空気の流入を遮蔽することができるので、室内の温度の低下を防ぐことができる。
【０００９】
請求項３に記載の発明は、例えば図３（ａ）〜（ｅ）に示すように、請求項２に記載の建物の換気構造Ａにおいて、
前記シャッター本体６は、前記複数の換気孔４ｂを閉塞する面にパッキン材６ｄが取り付けられた閉塞板部６ａと、
この閉塞板部６ａの上縁部に設けられた前記ヒンジ抱持部６ｂと、
前記閉塞板部６ａの下縁部から延出し、かつ、前記取付部７の一部と係止し合う係止突条部６ｅを備えるとともに、先端部に取手部６ｆが設けられた水平板部６ｃとから構成されており、
前記取付部７は、前記台輪本体４ａの外部側表面に当接する取付本体部７ａと、
この取付本体部７ａの幅方向両端部に設けられて、前記複数の換気孔４ｂに差し込まれて固定される差込脚部７ｂと、
前記取付本体部７ａの上端部に設けられた前記ヒンジ支点部７ｃと、
前記取付本体部７ａの下端部に設けられて、前記係止突条部６ｅと係止し合う係止突部７ｄとから構成されていることを特徴とする。
【００１０】
請求項３に記載の発明によれば、前記シャッター本体６は、前記複数の換気孔４ｂを閉塞する面にパッキン材６ｄが取り付けられた閉塞板部６ａと、
この閉塞板部６ａの上縁部に設けられた前記ヒンジ抱持部６ｂと、
前記閉塞板部６ａの下縁部から延出し、かつ、前記取付部７の一部と係止し合う係止突条部６ｅを備えるとともに、先端部に取手部６ｆが設けられた水平板部６ｃとから構成されており、
前記取付部７は、前記台輪本体４ａの外部側表面に当接する取付本体部７ａと、
この取付本体部７ａの幅方向両端部に設けられて、前記複数の換気孔４ｂに差し込まれて固定される差込脚部７ｂと、
前記取付本体部７ａの上端部に設けられた前記ヒンジ支点部７ｃと、
前記取付本体部７ａの下端部に設けられて、前記係止突条部６ｅと係止し合う係止突部７ｄとから構成されていることから、床下空間部等の建物本体３の換気状態を良好に保つことができるとともに、冬期における室内の温度の低下を防ぐことができる。
すなわち、まず、前記シャッター本体６と取付部７とは、前記ヒンジ支点部７ｃが前記ヒンジ抱持部６ｂによって抱持されることにより回動自在に結合されている。また、前記差込脚部７ｂを前記複数の換気孔４ｂに差し込むことによって、前記取付本体部７ａを前記台輪本体４ａに当接させるようにして前記取付部７を取り付けることができ、その上、前記シャッター本体６を前記台輪本体４ａに容易に取り付けることができるようになっている。
この時、前記閉塞板部６ａによって、この閉塞板部６ａが前記台輪本体４ａの外部側表面を覆うようにして前記複数の換気孔４ｂを閉塞できるようになっており、しかも、前記複数の換気孔４ｂを閉塞する面にパッキン材６ｄが取り付けられることによって、前記複数の換気孔４ｂをさらに密に閉塞することができるようになっている。
そして、前記シャッター本体６によって前記複数の換気孔４ｂを閉塞した時は、前記水平板部６ｃに設けられた係止突条部６ｅと、前記取付本体部７ａに設けられた係止突部７ｄとが係止し合うので、前記シャッター本体６と取付部７とを確実に閉じ合わせることができるようになっている。これによって、前記複数の換気孔４ｂを通じた空気の流入を遮蔽することができるので、室内の温度の低下を防ぐことができる。さらに、冬期の寒冷地住宅においても、冷たい空気の流入を遮蔽することができるので、室内の温度の低下を防ぐことができる。
一方、前記シャッター本体６によって前記複数の換気孔４ｂを閉塞しない時には、前記水平板部６ｃの先端に設けられた取手部６ｆを摘んで引っ張ることにより、閉じ合わせたシャッター本体６と取付部７とを開くことができるようになっている。これによって、前記複数の換気孔４ｂを通じて空気が出入りするので、床下空間部等の建物本体３の換気状態を良好に保つことができる。
【００１１】
請求項４に記載の発明は、例えば図３（ｂ）〜（ｅ）に示すように、請求項３に記載の建物の換気構造Ａにおいて、
前記差込脚部７ｂには、これら差込脚部７ｂの先端から外側に向けて折り曲げられて形成されることにより弾力性を備えた差込保持部７ｅが設けられていることを特徴とする。
【００１２】
請求項４に記載の発明によれば、前記差込脚部７ｂには、これら差込脚部７ｂの先端から外側に向けて折り曲げられて形成されることにより弾力性を備えた差込保持部７ｅが設けられていることから、前記差込脚部７ｂを前記換気孔４ｂに差し込むことによって、前記弾力性を備えた差込保持部７ｅがその弾性復帰力によって前記換気孔４ｂの内部に密接して保持されるので、前記差込脚部７ｂを前記換気孔４ｂに固定することができる。
【００１３】
請求項５に記載の発明は、例えば図４に示すように、請求項１〜４のいずれか一項に記載の建物の換気構造Ａにおいて、
前記シャッター部材５は、建物１の北側１ａに位置するようにして前記換気孔付き台輪４に取り付けられていることを特徴とする。
【００１４】
請求項５に記載の発明によれば、前記シャッター部材５は、建物１の北側１ａに位置するようにして前記換気孔付き台輪４に取り付けられていることから、前記シャッター部材５により前記複数の換気孔４ｂを閉塞することによって、従来とは異なり、屋外から床下空間部等の建物本体３内部に吹き込む冷たい空気を遮蔽することができるので、冬期における室内の温度の低下を防ぐことができる。
【発明の効果】
【００１５】
本発明によれば、前記台輪本体の外部側に、この台輪本体の前記複数の換気孔を閉塞可能なシャッター部材が取り付けられていることから、前記シャッター部材によって前記複数の換気孔を閉塞しない時は、これら複数の換気孔を通じて空気が出入りするので、床下空間部等の建物本体の換気状態を良好に保つことができる。
また、前記シャッター部材によって前記複数の換気孔を閉塞した時には、これら複数の換気孔を通じた空気の流入を遮蔽することができるので、室内の温度の低下を防ぐことができる。さらに、前記シャッター部材は、建物の北側に位置するようにして前記換気孔付き台輪に取り付けられていることから、冬期の寒冷地住宅においても、冷たい空気の流入を遮蔽することができるので、室内の温度の低下を防ぐことができる。
【発明を実施するための最良の形態】
【００１６】
以下、図面を参照して本発明に係る建物の換気構造Ａの実施の形態について説明する。
なお、本実施の形態の建物１は、壁や床等の建物１の構成要素を予め工場にてパネル化しておき、施工現場でこれらのパネルを組み立てるパネル工法で構築される。
【００１７】
本実施の形態の建物の換気構造Ａは、図１および図２に示すように、建物１の基礎２と基礎２上に構築される建物本体３との間に、前記基礎２の長手方向に沿って配置される台輪本体４ａと、この台輪本体４ａをその幅方向に貫通するようにして形成された複数の換気孔４ｂとを備えた換気孔付き台輪４が介在されてなり、
前記台輪本体４ａの外部側に、この台輪本体４ａの前記複数の換気孔４ｂを閉塞可能なシャッター部材５が取り付けられている。
【００１８】
前記基礎２は、前記建物本体３を支える建物１の下部構造であり、本実施の形態では、上部からの力で不同沈下しないように、鉄筋で補強した帯状の連続した構造である布基礎２が設置されている。
【００１９】
前記建物本体３は、図１に示すように、前記換気孔付き台輪４を介して基礎２上に構築される建物１の上部構造であり、本実施の形態では、前記基礎２上に配置される床パネル３ａと、この床パネル３ａに取り付けられ床パネル３ａとともに床部を構成する半土台３ｂと、前記床部上に配置される壁パネル３ｃによって構成されている。
また、前記基礎２の所定の位置にアンカーボルト２ａが立設されており、前記基礎２上に前記換気孔付き台輪４が設けられ、その上に前記床パネル３ａおよび半土台３ｂ、そして、これら床パネル３ａおよび半土台３ｂ上に前記壁パネル３ｃが設けられている。そして、これら換気孔付き台輪４および建物本体３に前記アンカーボルト２ａが挿通されてボルト締結されることにより、前記基礎２と建物本体３、およびこれら基礎２と建物本体３との間に介在する換気孔付き台輪４が固定されている。
【００２０】
前記換気孔付き台輪４は、上述のように、前記基礎２とこの基礎２上に構築される前記建物本体３との間に介在して設けられており、前記基礎２の長手方向に沿って配置される台輪本体４ａと、この台輪本体４ａをその幅方向に貫通するようにして形成された複数の換気孔４ｂとを備えている。
【００２１】
前記台輪本体４ａは、図１および図２に示すように、長尺板状に形成され、前記基礎２の長手方向に沿って配置されている。また、前記換気孔付き台輪４の上下面を構成し、互いに離間して対向するように配置された板状の上面部材４ｅ及び下面部材４ｆと、これら上下面部材４ｅ、４ｆの間で、且つ上下面部材４ｅ、４ｆに直交するように設けられた複数の仕切り壁部４ｇと、前記台輪本体４ａを基礎２に固定する釘孔４ｃと、台輪本体４ａの長手方向に細長い形状に形成されたアンカーボルト挿通用の貫通穴４ｄ等とを備えている。
この台輪本体４ａは、前記基礎２に立設されたアンカーボルト２ａを前記アンカーボルト挿通用の貫通穴４ｄに挿通されて配置され、前記釘孔４ｃに釘打ちされて、前記基礎２に対して固定されている。
【００２２】
また、前記台輪本体４ａどうしを長手方向に接続するために、この台輪本体４ａの両端部には隣接する台輪本体４ａの端部と接続し合う接続部４ｈが形成されている。
【００２３】
前記換気孔４ｂは、図１および図２に示すように、前記台輪本体４ａをその幅方向に貫通するようにして形成されており、本実施の形態では、この換気孔４ｂの開口部分の有効換気面積が台輪本体４ａの長さ４ｍあたり３００ｃｍ２以上あるので、必要十分な換気量を確保することができるようになっている。
なお、本実施の形態では、前記複数の換気孔４ｂの開口部分の有効換気面積が台輪本体４ａの長さ４ｍあたり３００ｃｍ２以上としたが、必要十分な換気量を確保することが可能であれば、これに限られるものではない。
【００２４】
前記シャッター部材５は、図１〜図３に示すように、前記台輪本体４ａの長手方向に沿って長尺で、かつ、前記複数の換気孔４ｂを閉塞するシャッター本体６と、このシャッター本体６を前記台輪本体４ａに取り付ける取付部７とを備えており、前記シャッター本体６に設けられたヒンジ抱持部６ｂと、前記取付部７に設けられ、かつ、前記ヒンジ抱持部６ｂに抱持されるヒンジ支点部７ｃとを備えたヒンジ部８により、前記シャッター本体６と取付部７とが回動自在に結合されている。
【００２５】
このようなシャッター部材５によれば、前記取付部７を台輪本体４ａに取り付けることにより、前記シャッター本体６を前記台輪本体４ａに容易に取り付けることができる。
また、前記シャッター本体６に設けられたヒンジ抱持部６ｂと、前記取付部７に設けられ、かつ、前記ヒンジ抱持部６ｂに抱持されるヒンジ支点部７ｃとを備えたヒンジ部８により、前記シャッター本体６と取付部７とが回動自在に結合されていることから、前記シャッター本体６によって前記複数の換気孔４ｂを開閉することができる。
また、前記ヒンジ支点部７ｃに対する前記ヒンジ抱持部６ｂの抱持状態は強固になっており、これによって、前記複数の換気孔４ｂを開閉する前記シャッター本体６を開放した状態においては、その開放状態を保持することができるようになっている。
さらに、前記シャッター本体６は上述のように、その開放状態を保持することができるようになっているので、例えば、強い風を受けても閉じてしまうことが無く、確実に前記複数の換気孔４ｂを通じて空気が出入りするので、床下空間部等の建物本体３の換気状態を良好に保つことができる。そして、この時、前記シャッター本体６の開放角度を４５度〜９０度の範囲で開放して保持することによって、空気の出入りが前記シャッター本体６に邪魔されず円滑に行われるので好ましい。
【００２６】
前記シャッター本体６は、図３（ａ）に示すように、前記複数の換気孔４ｂを閉塞する面にパッキン材６ｄが取り付けられた閉塞板部６ａと、
この閉塞板部６ａの上縁部に設けられた前記ヒンジ抱持部６ｂと、
前記閉塞板部６ａの下縁部から延出し、かつ、前記取付部７の一部と係止し合う係止突条部６ｅを備えるとともに、先端部に取手部６ｆが設けられた水平板部６ｃとから構成されている。
【００２７】
前記パッキン材６ｄは、前記台輪本体４ａの長手方向に沿って長尺で、弾性を有するとともに、柔軟性を有し、かつ、水や空気が浸透しにくい材料からなっている。例えば、多数の独立気泡を有する低発泡性の樹脂からなる発泡ＥＰＤＭ（エチレンプロピレンジエンターポリマ）やシリコン材、各種ゴム、その他の弾性と柔軟性および可撓性を有する合成樹脂を用いることができる。
【００２８】
前記ヒンジ抱持部６ｂは、前記台輪本体４ａの長手方向に沿って長尺で、その断面が弧状に形成され、後述する取付部７のヒンジ支点部７ｃよりも大きい弧になるように構成されており、このヒンジ支点部７ｃを抱持することができるように設定されている。
【００２９】
前記水平板部６ｃは、前記閉塞板部６ａの下縁部から延出し、前記取付部７の一部と係止し合う係止突条部６ｅを備えるとともに、先端部に取手部６ｆが設けられている。
前記係止突条部６ｅは、前記閉塞板部６ａの下縁部近傍に設けられ、前記台輪本体４ａの長手方向に沿って長尺で、下方に突出するようにして形成されている。
また、前記取手部６ｆは、前記水平板部６ｃの先端部に設けられ、この水平板部６ｃの上下鉛直方向に延出するようにして形成されており、指で摘みやすいようになっている。
【００３０】
前記取付部７は、図３（ｂ）〜（ｅ）に示すように、前記台輪本体４ａの外部側表面に当接する取付本体部７ａと、
この取付本体部７ａの幅方向両端部に設けられて、前記複数の換気孔４ｂに差し込まれて固定される差込脚部７ｂと、
前記取付本体部７ａの上端部に設けられた前記ヒンジ支点部７ｃと、
前記取付本体部７ａの下端部に設けられて、前記係止突条部６ｅと係止し合う係止突部７ｄとから構成されている。
【００３１】
前記取付本体部７ａは、前記台輪本体４ａの外部側表面に当接し、この台輪本体４ａに形成された換気孔４ｂのいずれかに跨るようにして形成されている。
【００３２】
前記差込脚部７ｂは、取付本体部７ａの幅方向両端部に設けられており、この差込脚部７ｂには、これら差込脚部７ｂの先端から外側に向けて折り曲げられて形成されることにより弾力性を備えた差込保持部７ｅが設けられている。このような差込保持部７ｅによれば、前記差込脚部７ｂを前記換気孔４ｂに差し込むことによって、前記弾力性を備えた差込保持部７ｅがその弾性復帰力によって前記換気孔４ｂの内部に密接して保持されるので、前記差込脚部７ｂを前記換気孔４ｂに固定することができる。
【００３３】
前記ヒンジ支点部７ｃは、前記取付本体部７ａの上端部の左右２箇所に設けられており、その断面は弧状に形成され、前記ヒンジ抱持部６ｂよりも小さい弧になるように設定されて、前記ヒンジ抱持部６ｂによって抱持されるようになっている。
また、これらヒンジ抱持部６ｂとヒンジ支点部７ｃとは、該ヒンジ支点部７ｃがヒンジ抱持部６ｂにより抱持されることで、前記ヒンジ支点部７ｃを軸心として回動自在に結合されている。
【００３４】
前記係止突部７ｄは、前記取付本体部７ａの下端部から前記差込脚部７ｂとは反対の方向に延出するようにしてに設けられており、この延出した部分の先端に、上方に向かって突起するようにして形成されている。
この係止突部７ｄは上方に向かって突出し、前記係止突条部６ｅは下方に突出するようにして形成されているので、これら係止突条部６ｅと係止突部７ｄとは係止し合うようになっている。
【００３５】
このようなシャッター本体６および取付部７によれば、前記シャッター本体６と取付部７とは、前記ヒンジ支点部７ｃが前記ヒンジ抱持部６ｂによって抱持されることにより回動自在に結合されている。また、前記差込脚部７ｂを前記複数の換気孔４ｂに差し込むことによって、前記取付本体部７ａを前記台輪本体４ａに当接させるようにして前記取付部７を取り付けることができ、その上、前記シャッター本体６を前記台輪本体４ａに容易に取り付けることができるようになっている。
この時、前記閉塞板部６ａによって、この閉塞板部６ａが前記台輪本体４ａの外部側表面を覆うようにして前記複数の換気孔４ｂを閉塞できるようになっており、しかも、前記複数の換気孔４ｂを閉塞する面にパッキン材６ｄが取り付けられることによって、前記複数の換気孔４ｂをさらに密に閉塞することができるようになっている。
そして、前記シャッター本体６によって前記複数の換気孔４ｂを閉塞した時は、前記水平板部６ｃに設けられた係止突条部６ｅと、前記取付本体部７ａに設けられた係止突部７ｄとが係止し合うので、前記シャッター本体６と取付部７とを確実に閉じ合わせることができるようになっている。
なお、図示はしないが、前記シャッター部材５は、図１に示すシャッター部材５とは上下逆向きになるように、すなわち、前記ヒンジ部８が下方に位置するようにして取り付けることが可能であり、前記シャッター本体６を、前記ヒンジ部８を軸にして下側に向かって開放させることができるようになっている。そして、このように前記シャッター部材５を、図１に示すものとは上下逆向きになるように取り付けたとしても、前記複数の換気孔４ｂを通じて空気が出入りするので、床下空間部等の建物本体３の換気状態を良好に保つことができる。
【００３６】
以上のような構成の建物の換気構造Ａを構築する際、図４に示すように、前記換気孔付き台輪４は構築される前記基礎２の全周にわたって設けられ、このうち前記シャッター部材５が取り付けられる位置は建物１の北側１ａに設けられた換気孔付き台輪４となる。
このように、前記シャッター部材５が、建物１の北側１ａに位置するようにして前記換気孔付き台輪４に取り付けられていることから、前記シャッター部材５により前記複数の換気孔４ｂを閉塞することによって、従来とは異なり、屋外から床下空間部等の建物本体３内部に吹き込む冷たい空気を遮蔽することができるので、冬期における室内の温度の低下を防ぐことができる。
【００３７】
そこで、このように建物１の北側１ａに前記シャッター部材５を取り付けるには、図１および図２に示すように、まず、建物１の基礎２と基礎２上に構築される建物本体３との間に前記換気孔付き台輪４を介在させ、前記台輪本体４ａの外部側に、この台輪本体４ａの前記複数の換気孔４ｂを閉塞可能なシャッター部材５を取り付けるようにする。
【００３８】
具体的には、前記基礎２の所定の位置に立設されたアンカーボルト２ａに、前記換気孔付き台輪４の貫通穴４ｄを挿通させて基礎２上に配置し、前記釘孔４ｃに釘打ちして基礎２上に固定する。そして、その上に前記床パネル３ａおよび半土台３ｂを配置し、そして、これら床パネル３ａおよび半土台３ｂ上に前記壁パネル３ｃを設ける。
【００３９】
次に、前記基礎２と建物本体３との間に設けた換気孔付き台輪４に、前記シャッター部材５を取り付ける。
取り付けに際しては、まず、前記台輪本体４ａに形成された複数の換気孔４ｂのうち、前記シャッター部材５を固定し得る任意の換気孔４ｂに、前記シャッター部材５を構成する取付部７を任意の数取り付けていく。
この時、前記取付部７の差込脚部７ｂを、この取付部７の取付部７本体が前記台輪本体４ａの外部側表面に当接するようにして前記複数の換気孔４ｂに挿入し、この差込脚部７ｂに形成された差込保持部７ｅによって、前記取付部７を前記換気孔４ｂの内部に保持させるようにする。
【００４０】
そして、前記複数の換気孔４ｂに取り付けられた取付部７の上端部に、その左右２箇所にヒンジ支点部７ｃが設けられており、これらヒンジ支点部７ｃを前記シャッター本体６のヒンジ抱持部６ｂによって抱持させる。このようにして、前記シャッター本体６と取付部７とが結合されるようになっている。
また、前記シャッター本体６の閉塞板部６ａにパッキン材６ｄを取り付けて、このシャッター本体６によって前記複数の換気孔４ｂを密に閉塞できるようにする。
【００４１】
さらに、前記シャッター本体６によって前記複数の換気孔４ｂを閉塞した時に、前記水平板部６ｃに設けた係止突条部６ｅと、前記取付本体部７ａに設けた係止突部７ｄとを係止させる。これにより、前記シャッター本体６と取付部７とを確実に閉じ合わせることができる。
【００４２】
一方、以上のようなシャッター部材５によって前記複数の換気孔４ｂを閉塞することができるようになっているが、このシャッター部材５によって前記複数の換気孔４ｂを閉塞しない時には、前記複数の換気孔４ｂは、開口部分の有効換気面積が台輪本体４ａの長さ４ｍあたり３００ｃｍ２以上あるので、必要十分な換気量を確保することができるようになっている。この時には、前記シャッター本体６に設けられた取手部６ｆを摘み上げて、前記複数の換気孔４を開けるようにする。
【００４３】
本実施の形態の建物の換気構造Ａによれば、前記台輪本体４ａの外部側に、この台輪本体４ａの前記複数の換気孔４ｂを閉塞可能なシャッター部材５が取り付けられていることから、前記シャッター部材５によって前記複数の換気孔４ｂを閉塞しない時は、これら複数の換気孔４ｂを通じて空気が出入りするので、床下空間部等の建物本体３の換気状態を良好に保つことができる。
また、前記シャッター部材５によって前記複数の換気孔４ｂを閉塞した時には、これら複数の換気孔４ｂを通じた空気の流入を遮蔽することができるので、室内の温度の低下を防ぐことができる。さらに、前記シャッター部材５は、建物１の北側１ａに位置するようにして前記換気孔付き台輪４に取り付けられていることから、冬期の寒冷地住宅においても、冷たい空気の流入を遮蔽することができるので、室内の温度の低下を防ぐことができる。
【図面の簡単な説明】
【００４４】
【図１】本発明の建物の換気構造を示す側面図である。
【図２】本発明の建物の換気構造を示す概略斜視図である。
【図３】シャッター部材を表しており、（ａ）はシャッター本体の側面図、（ｂ）は取付部の側面図、（ｃ）は取付部の平面図、（ｄ）は取付部の背面図、（ｅ）は取付部の正面図を示すものである。
【図４】シャッター部材の取り付け位置を示す平面図である。
【符号の説明】
【００４５】
Ａ  換気構造
１  建物
２  基礎
３  建物本体
４  換気孔付き台輪
４ａ  台輪本体
４ｂ  複数の換気孔
５  シャッター部材  
【図１】
2006214159.tif 000003
【図２】
2006214159.tif 000004
【図３】
2006214159.tif 000005
【図４】
2006214159.tif 000006